(57)【要約】【課題】流し台等の所望箇所に水栓を取り付けることができる水栓取付装置を提供する。【解決手段】ベース立板部１と、水栓装着孔を穿設して、ベース立板部の前面に突設した取付板部２と、ベース板部の背面に突設した固定挟持板部３１、及び前記固定挟持板部と対面し、且つベース立板部のレール溝に嵌合すると共に、固定挟持板部から垂設した挟圧ボルト３３を螺合して固定挟持部との間隙調整を可能とした可動挟持板部３２とで構成する挟持機構部（第一挟持機構部）と、Ｌ状杆４１の一辺の適宜箇所を、固定挟持板部上面と保持板４２との間で挟持し、他辺を第一挟持機構部の背面側に臨ませてなる第二挟持機構部を付設してなる。【選択図】図３
0003117646.tif 000002
【実用新案登録請求の範囲】
【請求項１】
適宜大きさのベース立板部と、水栓装着孔を穿設して、ベース立板部の前面に突設した取付板部と、ベース板部の背面に突設した固定挟持板部、及び前記固定挟持板部と対面し、且つベース立板部のレール溝に嵌合すると共に、固定挟持板部から垂設した挟圧ボルトを螺合して固定挟持部との間隙調整を可能とした可動挟持板部とで構成する挟持機構部とを備えたことを特徴とする水栓取付装置。
【請求項２】
Ｌ状杆の一辺の適宜箇所を、固定挟持板部上面と保持板との間で挟持し、他辺を挟持機構部の背面側に臨ませてなる第二挟持機構部を付設してなる請求項１記載の水栓取付装置。
【請求項３】
固定挟持板部上面と、保持板下面にＬ状杆と対応する溝を形成すると共に、取付板部内に前記溝と連続する差込透孔を形成してなる請求項２記載の水栓取付装置。
【請求項４】
Ｕ状金属杆を折曲してＬ状杆を形成し、開放端側を溝内に納めてなる請求項３記載の水栓取付装置。
【請求項５】
請求項１乃至４記載の何れかの部材を第一部材とし、前記第一部材と、取付板部の装着孔に装着できる装着部、及び装着部を装着した際に取付板部より起立する取付板部、及び取付板部を貫通する水栓装着孔を備えた第二部材とで構成される水栓取付装置。
【請求項６】
第一部材の取付板部上面における水栓装着孔の周囲に、係止凹部を適宜間隔で周設し、第二部材の取付板部の底面に前記係止凹部に選択的に嵌合できる係止突部を設けてなる位置決め機構を備えた請求項５記載の水栓取付装置。
【考案の詳細な説明】
【技術分野】
【０００１】
本考案は、流し台やポールに水栓（蛇口部材）を装着固定するための、水栓取付装置に関するものである。
【背景技術】
【０００２】
水栓（蛇口部材）は、管路途中に開閉弁を備え、先端を放水口とし、基端には適宜な鍔部を備えると共に、鍔部より基端の周面にはネジを刻設し、水道管を連結するようにしている（特許文献１）。
【０００３】
このような水栓を流し台等に取り付ける場合には、流し台の適宜位置に所定の水栓装着孔や切欠部を設け、水栓基部を装着孔や切欠部に差込み、鍔部とネジに螺合される固定ナットで挟圧するようにしている（特許文献１）。
【０００４】
また流し台自体に水栓を取付可能とした水栓装着孔や切欠部を設けることが提案されている（特許文献２）。
【０００５】
【特許文献１】特開平１０−１１７９５５号公報。
【特許文献２】特開２００５−３０１８４号公報。
【考案の開示】
【考案が解決しようとする課題】
【０００６】
流し台やその他の箇所に水栓を取り付けようとすると、設置箇所に所定の透孔や切欠部を設ける必要があり、また特許文献２記載のように予め装着構造を確保しておく必要がある。而して屋外の簡易流し台や仮設流し台等において、水栓を取り付けようとすると前記のとおり装着孔等を設けるという煩雑な作業が要求される。
【０００７】
そこで本考案は、所望の箇所に水栓を取り付けることができる新規な水栓取付装置を提案したものである。
【課題を解決するための手段】
【０００８】
本考案に係る水栓取付装置（第一部材）は、適宜大きさのベース立板部と、水栓装着孔を穿設して、ベース立板部の前面に突設した取付板部と、ベース板部の背面に突設した固定挟持板部、及び前記固定挟持板部と対面し、且つベース立板部のレール溝に嵌合すると共に、固定挟持板部から垂設した挟圧ボルトを螺合して固定挟持板部との間隙調整を可能とした可動挟持板部とで構成する挟持機構部（第一挟持機構部）とを備えたことを特徴とするものである。
【０００９】
而して第一部材単独使用は、挟持機構部で、流し台の縁部等の水栓を取り付けようとする所望箇所を挟持して第一部材を所望位置に設置固定でき、取付板部の水栓装着孔に所定の水栓を取り付けて水栓を備える流し台とすることができる。
【００１０】
また本考案（請求項２）は、更にＬ状杆の一辺の適宜箇所を、固定挟持板部上面と保持板との間で挟持し、他辺を挟持機構部の背面側に臨ませてなる第二挟持機構部を付設したもので、前記の第一挟持機構部による挟持と同時に第二挟持機構部のＬ状杆を所定位置に調整して、ベース板部背面とＬ状杆背面部とで第一挟持機構部の挟持方向と直交する方向からの挟持が可能となり、第一部材の設置固定を確実なものとする。
【００１１】
また本考案（請求項５）は、前記第一部材と組み合わせて使用される第二部材とで構成され、第二部材は、取付板部の装着孔に装着できる装着部、及び装着部を装着した際に第一部材の取付板部より起立する取付板部、及び取付板部を貫通する水栓装着孔を備えたものである。
【００１２】
而して所望箇所に設置固定した第一部材の水栓装着孔の装着方向が不適切の場合には、第二部材を第一部材の水栓装着孔に装着固定し、第二部材の水栓装着孔に水栓を取り付けることで、第一部材を水栓の取り付けに不適切な箇所に設置固定したとしても、第二部材との組み合わせ使用によって適切位置に水栓を取り付けることができるものである。
【考案の効果】
【００１３】
本考案（請求項１，５）は上記構成で、第一部材を流し台の縁部等に設置固定することで、第一部材の水栓装着孔や、前記水栓装着孔に装着固定した第二部材の水栓装着孔に所定の水栓を取り付けることができるものである。
【００１４】
また特に請求項２記載の考案第一部材の流し台縁部等への設置固定に際して、二方向（Ｘ−Ｙ方向）から挟持することになるので、設置固定箇所からの離脱が防止され、またポールのような柱体への設置も確実になされる。
【００１５】
また第二部材との組み合わせ使用によって、第一部材の設置箇所が第一部材の水栓装着孔への水栓取付が不適切な場合でも、容易に所望方向に水栓を取り付けることができるもで、流し台等に水栓取付用の透孔や切欠部を形成することなく、所望の箇所に水栓を取り付けることができるものである。
【考案を実施するための最良の形態】
【００１６】
次に本考案の実施形態について説明する。実施形態に示した水栓取付装置は、第一部材Ａと第二部材Ｂとで構成され、第一部材Ａは、ベース立板部１と、取付板部２と、第一挟持機構部３と、第二挟持機構部４とを備えてなる。
【００１７】
ベース立板部１は、適宜大きさの立板で、前面上部に取付板部２を突設し、背面部に第一挟持機構部３の固定挟持板３１を突設したものである。
【００１８】
取付板部２は、適宜箇所を上下に貫通する水栓装着孔２１を穿設したものであり、水栓装着孔２１の周囲に、係止凹部２２を適宜間隔で周設してなる。
【００１９】
第一挟持機構部３は、前記の固定挟持板部３１と可動挟持板部３２と、挟圧ボルト３３で構成され、可動挟持板部３２は、Ｌ状板で、ベース立板部１の背面に形成したレール部３４に嵌合して可動挟持板部３２を安定して上下動させる縦板部３２１と、固定挟持板部３１と対面する横板部３２２からなり、縦板部３２１には、挟圧ボルト３３が螺合される螺孔３２３が設けられている。挟圧ボルト３３は、前記螺孔３２３と対応する位置（同一軸線上）における固定挟持板部３１及び後述する保持板４２に穿設した軸孔３５，３６に相通して螺孔３２３に螺合するものである。
【００２０】
第二挟持機構部４は、Ｌ状杆４１と保持板４２と固定ボルト４３で構成され、Ｌ状杆４１はＵ条金属杆を折曲して形成し、開放端側を横杆４１１とし折り返し側を縦杆４１２としたものである。固定ボルト４３は、保持板４２の軸孔４４を挿通して、固定挟持板部３１の上面の螺穴４５に螺合するものであり、また固定挟持板部３１の上面と、保持板４２下面にＬ状杆４１の横杆４１１と対応する溝４６を形成すると共に、取付板部２内に前記溝４６と連続する差込透孔４７を形成し、溝４６及び差込透孔４７内に横杆４１１を配置し、保持板４２を被せ、固定ボルト４３を緊締することで、縦杆４１２を第一挟持機構部３の背面側に臨ませて固定するものである。
【００２１】
第二部材Ｂは、装着部５と取付板部６とで構成され、装着部５は、取付対象の水栓Dと同様な装着構造を備えたもので、取付板部２の水栓装着孔２１に装着可能な軸形状（又は管形状）で、外周面にネジを刻設し、取付ナット５１を螺合してなる。また取付板部６は、装着部５を第一部材Ａの取付板部２に装着した際に、取付板部２より起立する形状としたもので、取付板部２の水栓装着孔２１と同様な水栓装着孔６１を貫通形成し、取付板部２と当接する底面に、係止凹部２２に選択的に嵌合できる係止突部６２を設けてなるものである。
【００２２】
而して第一部材Ａは単体で使用できるもので、図３に例示するとおり、フランジを有する流し台Ｃのような箇所への水栓Ｄの取り付けにおいては、流し台Ｃのフランジ部分ａを第一挟持機構部３で挟持する。即ち挟圧ボルト３３を緊締すると、可動挟持板部３２が上昇して固定挟持板部３１とで流し台Ｃのフランジ部ａを挟持することになる。更に固定ボルト４３を一旦緩めて、Ｌ状杆４１を移動可能とし、Ｌ状杆４１の縦杆４１２を流し台Ｃの内周面ｂに当接させると、第一部材Ａは、流し台Ｃの縁部に二方向から挟持して設置固定される。そして水栓装着孔２１に水栓Ｄを取り付けると、流し台Ｃに水栓Ｄを備えさせることができるものである。
【００２３】
また図４，５に示すように、流し台Ｃの縁部（フランジを有しない）ｃや、流し台Ｃの縦壁部ｄ等に水栓取付装置を設置固定する場合には、第一部材Ａの水栓装着孔２１が水平方向となり、図示するような直立型水栓Ｄの取付に不適当であるので、第一部材の水栓装着孔２１に第二部材Ｂの装着部５を挿通し、取付ナット５１を螺合して連結固定する。
【００２４】
この場合に第二部材Ｂの装着方向は、取付板部６が水平方向となるように、係止凹部２２と係止突部６２の係止位置（嵌合位置）を適宜選択して定めものである。
【００２５】
このようにフランジを有しない縦壁面に装着する場合には第二挟持機構部４の挟持を必要としないので、取外しても良い。
【００２６】
更に図６に示すように、ポールＥに第一部材Ａを設置固定する場合には、第一挟持機構部３と第二挟持機構部４の双方による二方向挟持を行うことで第一部材Ａの設置固定が確実になされる。
【００２７】
従って前記の水栓取付装置は、第一部材Ａの単独使用の場合や、第二部材Ｂの組み合わせ使用や、更には第一部材Ａの第二挟持機構部４の使用の有無等、装置の設置状況に応じて多様に対応できるものであり、水栓Ｄの取付が容易になしえるものである。
【００２８】
勿論水栓Ｄは直立型に限定されるものではなく、横方向へ突出するタイプの物でも良く、そのような場合でも、第一部材の単独使用や、第二部材との組み合わせ使用によって容易に対応できるものである。
【図面の簡単な説明】
【００２９】
【図１】本考案の実施形態の分解斜視図。
【図２】同組み合わせ状態の断面図。
【図３】同使用状態の説明図（フランジ部を備えた流し台への設置）。
【図４】同使用状態の説明図（縁部上面への設置）。
【図５】同使用状態の説明図（壁面横端面への設置）。
【図６】同使用状態の説明図（ポールの設置）。
【符号の説明】
【００３０】
Ａ        第一部材
１        ベース立板部
２        取付板部
２１      水栓装着孔
２２      係止凹部
３        第一挟持機構部
３１      固定挟持板部
３２      可動挟持板部
３２１    縦板部
３２２    横板部
３２３    螺孔
３３      挟圧ボルト
３４      レール部
３５，３６  軸孔
４        第二挟持機構部
４１      Ｌ状杆
４１１    横杆
４１２    縦杆
４２      保持板
４３      固定ボルト
４４      軸孔
４５      螺穴
４６      溝
４７      差込透孔
Ｂ        第二部材
５        装着部
５１      取付ナット
６        取付板部
６１      水栓装着孔
６２      係止突部
【図１】
0003117646.tif 000003
【図２】
0003117646.tif 000004
【図３】
0003117646.tif 000005
【図４】
0003117646.tif 000006
【図５】
0003117646.tif 000007
【図６】
0003117646.tif 000008
【手続補正書】
【提出日】平成17年10月28日(2005.10.28)
【手続補正１】
【補正対象書類名】実用新案登録請求の範囲
【補正対象項目名】請求項５
【補正方法】変更
【補正の内容】
【請求項５】
請求項１乃至４記載の何れかの水栓取付装置を第一部材とし、前記第一部材と、取付板部の装着孔に装着できる装着部、及び装着部を装着した際に取付板部より起立する取付板部、及び取付板部を貫通する水栓装着孔を備えた第二部材とで構成される水栓取付装置。